(57)【要約】【課題】煤塵を廃棄するために無駄な手間及び費用をかける必要がなく、また、煤塵の有効利用が可能であり、産業廃棄物の量を減らすことができる煤塵の処理方法、黒色顔料及びマスターバッチを提供する。【解決手段】被燃焼物の燃焼により発生する煤塵の処理方法であって、煤塵を黒色顔料の原料として用いることにより、煤塵を処理する（ステップ１〜ステップ８）。本発明によれば、従来の黒色顔料に使用していたカーボンに代えて、従来産業廃棄物として廃棄していた煤塵を使用するので、煤塵を廃棄するために無駄な手間及び費用をかける必要がなく、また、産業廃棄物の量を低減できる。【選択図】　　図１
2004115683.tif 000002
【特許請求の範囲】
【請求項１】
被燃焼物の燃焼により発生する煤塵の処理方法であって、
前記煤塵を黒色顔料の原料として用いることにより、前記煤塵を処理することを特徴とする煤塵の処理方法。
【請求項２】
前記黒色顔料の原料は、少なくとも、前記煤塵、合成樹脂、分散剤、飛散防止剤、及び酸化防止剤を含み、これらの原料を加熱し結合させて前記黒色顔料を製造することを特徴とする請求項１に記載の煤塵の処理方法。
【請求項３】
樹脂製品を着色するための黒色顔料であって、被燃焼物の燃焼により発生する煤塵を含むことを特徴とする黒色顔料。
【請求項４】
前記黒色顔料は、少なくとも、前記煤塵、前記樹脂製品に混合可能な樹脂、分散剤、飛散防止剤、及び酸化防止剤を含み、これらの原料が加熱され結合されていることを特徴とする請求項３に記載の黒色顔料。
【請求項５】
請求項３又は４に記載の黒色顔料をペレット状に成形したことを特徴とするマスターバッチ。
【発明の詳細な説明】
【０００１】
【発明の属する技術分野】
本発明は、煤塵の処理方法、黒色顔料及びマスターバッチに関する。
【０００２】
【従来の技術】
化学プラントなどにおいては、ボイラーで液体燃料や気体燃料を燃焼させたときに大量の煤塵（スス）が発生する。従来は、この煤塵を産業廃棄物として処理していた。
【０００３】
【発明が解決しようとする課題】
しかしながら、従来の煤塵の処理方法では、煤塵を廃棄するために無駄な手間及び費用がかかり、また、産業廃棄物の量が増大し環境保護の点からも問題があった。
【０００４】
本発明は、このような問題に鑑み、煤塵を廃棄するために無駄な手間及び費用をかける必要がなく、また、煤塵の有効利用が可能であり、産業廃棄物の量を減らすことができる煤塵の処理方法、黒色顔料及びマスターバッチの提供を課題とする。
【０００５】
【課題を解決するための手段】
本発明は、前記課題を解決するため、以下の手段を採用した。
【０００６】
すなわち、本発明は、従来廃棄していた煤塵を黒色顔料の原料として有効活用することを要旨とする。
【０００７】
本発明は、被燃焼物の燃焼により発生する煤塵の処理方法であって、前記煤塵を黒色顔料の原料として用いることにより、前記煤塵を処理することを特徴とする。
【０００８】
本発明によれば、従来廃棄していた煤塵を黒色顔料の原料として有効活用できるので、従来のように煤塵を廃棄するために無駄な手間及び費用をかける必要がなくなる。また、産業廃棄物の量を減らすことができるので、環境保護の面からも有利である。
【０００９】
ここで、前記黒色顔料は、少なくとも、前記煤塵、合成樹脂、分散剤、飛散防止剤、及び酸化防止剤を含み、これらの原料を加熱し結合させて黒色顔料を製造することができる。
【００１０】
上記分散剤としてはステアリルアルコール及びＺｎ−Ｓｔを、飛散防止剤としてはステアリルアルコールを、酸化防止剤としてはジブチルヒドロキシトルエン（ＢＨＴ）、Ｉｒｕｇａｎｏｘ１０１０（高分子量ポリフェノール系酸化防止剤、商標名）を使用するのが望ましい。
【００１１】
また、本発明は、樹脂製品を着色するための黒色顔料であって、被燃焼物の燃焼により発生する煤塵を含むことを特徴とする。
【００１２】
ここで、前記黒色顔料は、少なくとも、前記煤塵、樹脂製品に混合可能な樹脂、分散剤、飛散防止剤、及び酸化防止剤を含み、これらの原料が加熱され結合されていることを特徴とする。
【００１３】
本発明によれば、従来黒色顔料の原料として使用していたカーボンに代えて、産業廃棄物として廃棄していた煤塵を使用するので原料費を低減でき、原価低減できる。
【００１４】
また、本発明は、上記黒色顔料をペレット状に成形することを特徴とする。
【００１５】
本発明によれば、黒色顔料の取り扱いが容易になる。
【００１６】
【発明の実施の形態】
以下、本発明の実施の形態を添付した図１から図４に基づいて説明する。
【００１７】
本発明の煤塵の処理方法は、図１のフローチャートに示すように、まず化学プラントなどのボイラーなどで燃料（被燃焼物）の燃焼によって発生する煤塵（スス）を取り出す（ステップ１）。
【００１８】
次に、取り出した煤塵を顔料の製造工場に運搬し（ステップ２）、この煤塵に樹脂（ポリプロピレン、ポリエチレン、塩化ビニルなど）、分散剤、飛散防止剤、酸化防止剤を混合する（ステップ３）。
【００１９】
次に、上記各原料を混ぜ合わせ、このときに発生する熱で各原料を粗結合する（ステップ４）。これによって、後工程で各原料が飛散するのを防止できる。次に、上記で生成された粗結合物を冷却して粒子の結合を安定させることによって、黒色顔料の素材が完成する（ステップ５，６）、その後、黒色顔料の素材を押出成型機に入れ、高温で加熱することにより適宜な直径の線状に成形する（ステップ７）。
【００２０】
次に、この線状の黒色顔料を小さくカッティングしてペレットに成形した後（ステップ８）、ペレットの分散状態測定、コンタミ管理、比重管理、発揮分管理、ＭＦＲ管理などを行う（ステップ９）。これによって、煤塵の処理が終了する。
【００２１】
次に、上記ステップ１，３の処理内容について詳細に説明する。ステップ１においては、図２に示すように、例えば化学プラント内で排出される不生成物質（廃油（液体燃料））１０が廃油受け入れヘッダ１１に集められ、ここから廃油１０がスロップタンク１２に供給され、更にこのスロップタンク１２から一定量の廃油１０が燃料としてボイラ１３に供給される。
【００２２】
ボイラ１３には燃料として更にＲＳＧ・Ｃ４・Ｃ５（ガス燃料）１４が供給され、上記廃油１０と一緒に燃焼される。そして、ボイラ１３から排出された排ガス１５が電気集塵機１６に送られ、ここで排ガス１５中に含まれる煤塵１７が取り出されてアッシュビン１８に蓄積される。
【００２３】
ボイラ１３の燃料としては、上述のようにＲＳＧ・Ｏ４・ＪＳＲ−ＲＯＧ１４などのガス燃料や、廃油１５などの液体燃料などが用いられており、その燃焼によって発生した煤塵１７は、次に説明するように無害である。
【００２４】
図３は、煤塵１７の有害物質の分析結果を示す。図３から分かるように、煤塵１７に含まれる各有害物質は判定基準以下であり、無害である。なお、煤塵１７にはカーボンが含まれており、本発明では、後述のようにこの煤塵１７に含まれているカーボンを利用して黒色顔料を製造する。
【００２５】
ステップ３においては、図４に示すように、煤塵１７、樹脂、分散剤、飛散防止剤、及び酸化防止剤をそれぞれ所定量ずつ混合する。樹脂は、ここで生成された黒色顔料によって着色すべき樹脂製品に混合可能な樹脂であり、例えばポリプロピレン、ポリエチレン、塩化ビニルなどが主であるが、これ以外にも各種の樹脂を用いることができる。この樹脂はパウダー状或いはペレット状のものを使用する。
【００２６】
また、分散剤としてはステアリルアルコール及びＺｎ−Ｓｔなどを使用し、飛散防止剤としてはステアリルアルコールを使用し、酸化防止剤としてはジブチルヒドロキシトルエン（ＢＨＴ）及びＩｒｕｇａ１０１０（商標名）を使用した。上記ステアリルアルコールの代わりに流パラを使用し、Ｉｒｕｇａ１０１０の代わりにＢＨＴを使用することができる。
【００２７】
これらの成分及び各成分の混合割合は、適宜変えることができる。また、上述した成分以外に他の成分を混合することができる。なお、上記ステップ３〜８は、従来の黒色顔料の製造工程と同様であり、本発明は従来用いていたカーボンに代えて煤塵１７を使用する点で従来と異なる。
【００２８】
このように、本発明は、煤塵１７に含まれているカーボンを黒色顔料の原料として用いることにより、煤塵１７を処理するものである。従って、本発明によれば、従来廃棄していた煤塵１７を有効活用できるので、従来のように煤塵１７を産業廃棄物として廃棄するために無駄な手間及び費用かける必要がない。また、産業廃棄物の量を低減できるので、環境保護の点からも有利になる。
【００２９】
更に、本発明によれば、従来廃棄されていた煤塵１７を黒色顔料の原料として使用するため、原料費を低減でき、原価低減が可能になる。
【００３０】
なお、本実施の形態では、本発明を化学プラントにおいて排出される煤塵１７に適用したが、本発明は各種の設備において各種燃料などの被燃焼物を燃焼したときに発生する煤塵に適用できる。
【００３１】
【発明の効果】
以上のように、本発明によれば、従来廃棄されていた煤塵を黒色顔料の原料として用いることにより煤塵を処理するので、煤塵の有効活用が可能であり、煤塵を産業廃棄物として廃棄するために無駄な手間及び費用をかける必要がなくなる。また、産業廃棄物の量を減らすことができるので、環境保護の面からも有利である。
【００３２】
また、本発明によれば、黒色顔料の原料として従来用いていた高価なカーボンに代えて、廃棄していた煤塵を使用するので原料費を低減でき、これにより、黒色顔料の原価低減が可能になる。
【図面の簡単な説明】
【図１】本発明に係る煤塵の処理方法を示すフローチャートである。
【図２】本発明に係る煤塵の収集方法を示す図である。
【図３】本発明に係る煤塵の有害物質の分析結果を示す図である。
【図４】本発明に係る黒色顔料の成分を示す図である。
【符号の説明】
１０　廃油（液体燃料）
１１　廃油受け入れヘッダ
１２　スロップタンク
１３　ボイラ
１４　気体燃料
１５　排ガス
１６　電気集塵機
１７　煤煙
１８　アッシュビン
【図１】
2004115683.tif 000003
【図２】
2004115683.tif 000004
【図３】
2004115683.tif 000005
【図４】
2004115683.tif 000006